(57)【要約】  手術用コンソール及び他の装置に係る無線ネットワークがデータを転送するために用いられる。手術用コンソールは、手術用コンソールを操作するためのソフトウェアを実行するシステムプロセッサと、システムプロセッサと接続される無線プロセッサと、を有する。無線プロセッサは、無線通信を容易にするためのソフトウェアを実行する。トランシーバは無線プロセッサと接続される。システムプロセッサは無線プロセッサから物理的に分離している。無線プロセッサは、他の装置へデータを転送し、ソフトウェアの更新情報を受信するために用いられる。【選択図】図１
2011522609.tif 000002
【特許請求の範囲】
【請求項１】
手術用コンソールであって、
前記手術用コンソールを操作するためのソフトウェアを実行するシステムプロセッサと、
前記システムプロセッサと接続される無線プロセッサと、
前記無線プロセッサと接続されるトランシーバと、を有し、
前記無線プロセッサは、無線通信を容易にするためのソフトウェアを実行し、
前記システムプロセッサは前記無線プロセッサから物理的に分離している、手術用コンソール。
【請求項２】
第１の手術用コンソールと、
第２の手術用コンソールと、を有し、
前記第１の手術用コンソールは、第１の無線プロセッサと接続される第１のシステムプロセッサを有し、
前記第１の無線プロセッサは第１のトランシーバと接続され、
前記第２の手術用コンソールは、第２の無線プロセッサと接続される第２のシステムプロセッサを有し、
前記第２の無線プロセッサは第２のトランシーバと接続され、
前記第１の手術用コンソールと前記第２の手術用コンソールの間で無線接続が確立される、ネットワーク。
【請求項３】
サーバトランシーバを有するサーバをさらに有し、
前記サーバトランシーバは前記第１のトランシーバ及び前記第２のトランシーバと無線で接続される、請求項２に記載の無線ネットワーク。
【請求項４】
前記サーバとインターネットとの間に配置されるファイアウォールをさらに有する、請求項３に記載の無線ネットワーク。
【請求項５】
前記第１の手術用コンソールと無線で接続されるラップトップコンピュータをさらに有する、請求項２に記載の無線ネットワーク。
【請求項６】
手術用コンソール間でデータを無線で転送する方法であって、
第１の手術用コンソールのメモリからユーザ毎の設定を読み込み、
前記第１の手術用コンソールにおける第１のシステムプロセッサと接続される第１の無線プロセッサへ前記ユーザ毎の設定を転送し、
前記第１の無線プロセッサと接続される第１のトランシーバから前記ユーザ毎の設定を送信する
ことを含む方法。
【請求項７】
第２の手術用コンソールにおける第２のシステムプロセッサと接続される第２の無線プロセッサと接続される第２のトランシーバにおいて前記ユーザ毎の設定を受信し、
前記第２の無線プロセッサから前記第２のシステムプロセッサへ前記ユーザ毎の設定を転送し、
前記第２のシステムプロセッサのメモリに前記ユーザ毎の設定を格納する
ことをさらに含む、請求項６に記載の方法。
【請求項８】
サーバにおいて前記ユーザ毎の設定を受信し、
サーバメモリに前記ユーザ毎の設定を格納する
ことをさらに含む、請求項６に記載の方法。
【請求項９】
前記サーバメモリから前記ユーザ毎の設定を読み込み、
第２の手術用コンソールにおける第２のシステムプロセッサと接続される第２の無線プロセッサと接続される第２のトランシーバへ前記ユーザ毎の設定を送信し、
前記第２の無線プロセッサから前記第２のシステムプロセッサへ前記ユーザ毎の設定を転送し、
前記第２の手術用コンソールのメモリに前記ユーザ毎の設定を格納する
ことをさらに含む、請求項８に記載の方法。
【請求項１０】
手術用コンソールで実行するソフトウェアを更新する方法であって、
無線で送信されたソフトウェアの更新情報を無線プロセッサを通して受信し、
前記無線プロセッサから手術用コンソールに配置されたシステムプロセッサへ前記ソフトウェアの更新情報を転送し、
前記システムプロセッサで実行するソフトウェアを前記ソフトウェアの更新情報で更新する
ことを含む方法。
【請求項１１】
サーバから前記無線プロセッサへ前記ソフトウェアの更新情報を無線で送信することをさらに含む、請求項１０に記載の方法。
【請求項１２】
インターネットを介して前記サーバへ前記ソフトウェアの更新情報を送信することをさらに含む、請求項１１に記載の方法。
【請求項１３】
ラップトップコンピュータから前記無線プロセッサへ前記ソフトウェアの更新情報を無線で送信することをさらに含む、請求項１０に記載の方法。
【請求項１４】
手術用コンソールからデータを無線で転送する方法であって、
手術用コンソールに配置されたシステムプロセッサと接続されるメモリに操作データを格納し、
前記メモリから前記操作データを読み込み、
前記システムプロセッサと接続される無線プロセッサへ前記操作データを送り、
前記操作データを無線で送信する
ことを含む方法。
【請求項１５】
前記操作データを受信することと、
前記手術用コンソールを保守するために前記操作データを用いること
をさらに含む、請求項１４に記載の方法。
【請求項１６】
前記操作データを受信することは、ラップトップコンピュータで前記操作データを受信することをさらに含む、請求項１５に記載の方法。
【請求項１７】
前記操作データを受信することは、サーバで前記操作データを受信することをさらに含む、請求項１５に記載の方法。
【発明の詳細な説明】
【技術分野】
【０００１】
本発明は、眼科手術用コンソールに関し、特に、眼科手術用コンソールを互いに無線で接続し、また他の装置と無線で接続するためのシステム及び方法に関する。
【背景技術】
【０００２】
解剖学的に、眼は二つの異なる部分、前眼部と後眼部に区分される。前眼部は水晶体を含み、角膜（角膜内皮）の最外層から水晶体嚢の後側までわたっている。後眼部は水晶体嚢の後側の眼の部分を含む。後眼部は前側硝子体面から網膜までわたり、硝子体の後側硝子体面はその網膜と直接接触している。後眼部は前眼部よりはるかに大きい。
【０００３】
後眼部は硝子体、すなわち無色透明でゲル状の物質を含む。硝子体は、眼の体積の略３分の２を占め、誕生前に形成され、形作られる。硝子体は、1%のコラーゲン及びヒアルロン酸ナトリウムと、99%の水で構成される。硝子体の前側境界は前側硝子体面であり、その前側硝子体面は水晶体後嚢と接触している。一方、後側硝子体面は、硝子体の後側境界を形成しており、網膜と接触している。硝子体は、房水のような自由流動性はなく、標準の解剖学的な付着部位を有する。これらの部位の一つは硝子体基部であり、その硝子体基部は鋸上縁（ora serrata）を覆う3-4mm幅の帯である。視神経頭、黄斑及び血管アーケードも付着部位である。硝子体の主要な機能は、網膜を定位置に保持し、球体の完全性及び形状を維持し、移動による衝撃を吸収し、後方で水晶体を支持することである。房水と対照的に、硝子体は継続的に交換されない。硝子体はシネレシスとして知られる過程で年齢とともにより流動性が高くなる。シネレシスは硝子体の収縮をもたらし、その収縮はその標準の付着部位に圧力又は引張りを及ぼす可能性がある。十分な引張りが与えられると、硝子体は自身を網膜との付着から引き離し、網膜裂傷又は網膜裂孔を引き起こす可能性がある。
【０００４】
硝子体網膜手術と呼ばれる様々な外科手術は、一般に眼の後眼部で実施される。硝子体網膜手術は、後眼部の多くの深刻な疾患を処置するのに適している。硝子体網膜手術は、例えば、加齢性黄斑変性症（ＡＭＤ）、糖尿病性網膜症、糖尿病性硝子体出血、黄斑円孔、網膜剥離、網膜上膜、ＣＭＶ網膜炎及び他の多くの眼疾患等の疾患を処置する。
【０００５】
外科医は、後眼部の明瞭な像を提供するように設計された、顕微鏡及び特別なレンズを使って硝子体網膜手術を実施する。経毛様体扁平部の強膜上にほんの1ミリメートル程の長さの幾つかの微小な切開部が作られる。外科医は、切開部を通して、例えば眼の内側を明るくするための光ファイバ光源、手術中に眼の形状を維持するための注入ライン、並びに硝子体を切断及び除去するための器具等の超微細手術用具を挿入する。
【０００６】
他の一般的な外科手術、白内障の除去及び水晶体の置き換えは、眼の前眼部で実施される。眼の固有の水晶体は、水晶体皮質を囲む外側の水晶体嚢で構成される。人間の眼は、角膜と呼ばれる透明な外側部分を通して光を伝達し、透明な水晶体を通して網膜上に像の焦点を合わせることにより、視力を提供するように機能するので、焦点の合わされる像の質は、水晶体の透明性を含む多くの要因に依存する。年齢又は疾病により水晶体の透明性がより低くなると、網膜へ伝達できる光が弱まるために視力は悪化する。この眼の水晶体における欠陥は、医学的に白内障として知られる。この疾患に対して一般に認められる処置は、人工の眼内レンズ（ＩＯＬ）による水晶体皮質の除去及び置き換えを含む白内障手術である。
【０００７】
米国において、白内障水晶体の大部分は、水晶体超音波乳化吸引手術と呼ばれる手術法により除去される。この手術の間、角膜又は強膜に数ミリメートルのサイズの切開部が作られる。切開部を通して、水晶体超音波乳化吸引手術用の薄い切取り先端部が、疾患のある水晶体の中へ挿入され、超音波で振動される。振動する切取り先端部は水晶体皮質の物質を液化又は乳化してその物質を眼から吸引できるようにする。疾患のある水晶体物質がいったん除去されると、ＩＯＬにより置き換えられる。
【０００８】
ＩＯＬは、疾患のある水晶体の細胞物質を除去するために用いられたのと同一の小さい切開部を通して眼の中へ注入される。ＩＯＬは、切開部の拡大を避けるために折り畳まれた状態でＩＯＬ注入器にセットされる。ＩＯＬ注入器の先端は切開部の中へ挿入され、レンズは水晶体嚢袋の中へ運ばれる。
【０００９】
これらの様々な前眼部及び後眼部の手術を実施するために、最新式の手術用の機械が用いられる。そのような機械は、手術用具が取り付けられたコンピュータ制御のコンソールを有する。多くの場合、病院又は手術室はこれらの機械を複数有する。一般に、これらの機械はスタンドアロンのユニットであり、たとえ各機械がコンピュータ装置を含む場合でも、ともにネットワークで結ばれていない。無線通信装置の需要が高まるにつれて、これらの機械を互いにネットワークで結ぶこと及び他のコンピュータとネットワークで結ぶことにより効果がもたらされる。手術用の機械と他のコンピュータの間の通信を容易にするために、これらの手術用の機械を含む無線ネットワークをもつことが望ましい。
【発明の概要】
【００１０】
本発明の原理と合致する一つの実施形態において、本発明は、手術用コンソールを操作するためのソフトウェアを実行するシステムプロセッサと、システムプロセッサと接続される無線プロセッサとをもつ手術用コンソールである。無線プロセッサは、無線通信を容易にするためのソフトウェアを実行する。トランシーバは無線プロセッサと接続される。システムプロセッサは無線プロセッサから物理的に分離している。
【００１１】
本発明の原理と合致する他の実施形態において、本発明は、第１の手術用コンソール及び第２の手術用コンソールを含むネットワークである。第１の手術用コンソールは、第１の無線プロセッサと接続される第１のシステムプロセッサを有する。第１の無線プロセッサは第１のトランシーバと接続される。第２の手術用コンソールは、第２の無線プロセッサと接続される第２のシステムプロセッサを有する。第２の無線プロセッサは第２のトランシーバと接続される。第１の手術用コンソールと第２の手術用コンソールの間で無線接続が確立される。
【００１２】
本発明の原理と合致する他の実施形態において、本発明は、第１の手術用コンソールのメモリからユーザ毎の設定を読み込み、第１の手術用コンソールにおける第１のシステムプロセッサと接続される第１の無線プロセッサへユーザ毎の設定を転送し、第１の無線プロセッサと接続される第１のトランシーバからユーザ毎の設定を送信することを含む、手術用コンソール間でデータを無線で転送する方法である。
【００１３】
本発明の原理と合致する他の実施形態において、本発明は、手術用コンソールで実行するソフトウェアを更新する方法であり、その方法は、無線で送信されたソフトウェアの更新情報を無線プロセッサを通して受信し、無線プロセッサから手術用コンソールに配置されたシステムプロセッサへソフトウェアの更新情報を転送し、システムプロセッサで実行するソフトウェアをソフトウェアの更新情報で更新することを含む。
【００１４】
本発明の原理と合致する他の実施形態において、本発明は、手術用コンソールからデータを無線で転送する方法であり、その方法は、手術用コンソールに配置されたシステムプロセッサと接続されるメモリに操作データを格納し、メモリから操作データを読み込み、システムプロセッサと接続される無線プロセッサへ操作データを送り、操作データを無線で送信することを含む。
【００１５】
前述の一般的な説明及び後述する詳細な説明の両方ともに例示であり、単に説明のためのみのもので、クレームされた発明のさらなる説明を提供することを意図するものであることを理解されたい。後述する説明及び本発明の実施は、本発明のさらなる効果及び目的を明記及び示唆する。
【００１６】
この明細書の一部を構成し、組み込まれた添付の図面は、本発明の幾つかの実施形態を示し、その説明とともに、本発明の原理を説明するものである。
【図面の簡単な説明】
【００１７】
【図１】本発明の原理に従った、手術用コンソール及び他の装置を含む無線ネットワークの概略図である。
【図２】本発明の原理に従った、手術用の機械におけるプロセッサアーキテクチャのブロック図である。
【図３】本発明の原理に従った、無線を用いてコンソール間でユーザ毎の設定を保持する方法に係るブロック図である。
【図４】本発明の原理に従った、コンソールにソフトウェアの更新情報を無線で提供する方法に係るブロック図である。
【図５】本発明の原理に従った、保守データを無線で収集する方法に係るブロック図である。
【発明を実施するための形態】
【００１８】
本願は、2008年6月5日に出願された、米国特許仮出願第61/059,074号に対して、優先権を主張する。
【００１９】
本発明の例示的な実施形態、添付の図面において示された実施例を以下で詳細に参照する。可能な限り、同一の参照番号を、全ての図を通じて同じまたは類似の部分を参照するために使用した。
【００２０】
図１は、本発明の原理に従った、手術用コンソール及び他の装置を含む無線ネットワークの概略図である。この実施例では、病院環境に二つの手術用コンソール１１０及び１２０並びにサーバ１４０が配置される。手術用コンソール１１０及び１２０は、一般に異なる手術室に配置される。サーバ１４０は、一般に手術用コンソール１１０及び１２０と同じ建物内に配置される。例えば、一日に多数の白内障手術を行う施設は、近接する手術室に配置される（コンソール１１０及び１２０のような）二つ以上の白内障手術用コンソールを有する。白内障手術はほとんどの場合ほんの15分で行われるので、一般に幾人かの患者が離れた手術室で手術に備えており、眼科医は、異なる患者に手術を行うために一つの手術室から他の手術室へ移動する。（はるかに多くの時間が費やされ、複雑である）硝子体網膜手術のために、一つの眼科が、異なる手術室に配置された（例えばコンソール１１０及び１２０等の）幾つかの硝子体網膜手術用コンソールを有することがある。そのような場合、異なる外科医が異なるコンソールを異なる手術室で同時に用いる可能性がある。
【００２１】
図１において、手術用コンソール１１０は、手術用コンソール１２０、ラップトップコンピュータ１３０及びサーバ１４０と無線で接続される。手術用コンソール１２０は、手術用コンソール１１０、ラップトップコンピュータ１３０及びサーバ１４０と無線で接続される。ラップトップコンピュータ１３０は、手術用コンソール１１０及び手術用コンソール１２０と無線で接続される。サーバ１４０は、手術用コンソール１１０、手術用コンソール１２０及びラップトップコンピュータ１５０並びに（ファイアウォール１６０を介して）インターネット１７０と無線で接続される。ラップトップコンピュータ１５０は、サーバ１４０と無線で接続される。ファイアウォール１６０は、病院又は手術室に備わっているコンポーネント（手術用コンソール１１０及び１２０並びにサーバ１４０）並びにそれらが接続するラップトップコンピュータ１３０及び１５０を保護するように構成される。
【００２２】
二つのコンソール１１０及び１２０並びに一つのサーバ１４０のみが示されるが、任意の数のコンソール、サーバ及び周辺装置が存在してもよい。コンソールと接続することができる周辺装置の例は、プリンタ、モニタ、カメラ、バーコードリーダ、顕微鏡等を含むがこれらに限定されない。加えて、サーバ１４０（及びもしあるならば他のサーバ）は、病院ネットワーク、マルチサイトネットワーク又はインターネットと接続されてもよい。
【００２３】
図１に表されたコンポーネントを無線で接続するために、任意の多数の異なる無線プロトコルを用いることができる。そのようなプロトコルの例は、802.11g、WiMAX、Wi-Fi、firewire、セルラー又は任意の他の無線プロトコルを含むがこれらに限定されない。さらに、複数の無線プロトコルが用いられてもよい。例えば、コンソール１１０が802.11gプロトコルによってコンソール１２０と無線で接続され、ラップトップコンピュータ１３０がfirewireのプロトコルによってコンソール１１０及び１２０と無線で接続されてもよい。このように、図１に表された一つ以上のコンポーネントは、複数の使用可能な無線プロトコルを有してもよい。
【００２４】
ラップトップコンピュータ１３０及び１５０は、無線機能をもつ多数の異なる任意のラップトップコンピュータとすることができる。他の実施形態では、ラップトップコンピュータ１３０及び１５０は、例えばハンドヘルドコンピュータ、無線装置、携帯電話装置、無線機能をもつ携帯用電子機器又は同様のもののような任意の無線装置を用いて実現されてもよい。
【００２５】
サーバ１４０は、一般に例えばコンピュータネットワークで共通に見いだされるようなサーバコンピュータである。このように、サーバ１４０は、一般にその主要な機能が他のコンピュータ装置と通信し、データを格納することである中継用のコンピュータである。サーバ１４０は、他の装置と無線で接続するトランシーバ又は他の手段を含む。そのように、サーバ１４０は無線ネットワークの一部とすることができる。しかしながら本発明の他の実施形態では、サーバ１４０は、他のタイプのコンピュータ装置を用いて実現されてもよい。
【００２６】
図２は、本発明の原理に従った、手術用コンソールにおけるプロセッサアーキテクチャのブロック図である。図２において、システムプロセッサ２１０は無線プロセッサ２２０と接続される。無線プロセッサ２２０はトランシーバ２３０と接続される。そのように、コンソール１１０（及びコンソール１２０も同様に）は、システムプロセッサ２１０と無線プロセッサ２２０が分離したプロセッサであるプロセッサアーキテクチャをもつ。
【００２７】
システムプロセッサ２１０は、多数の異なるタイプの任意のマイクロプロセッサ又はマイクロコントローラとしてもよい。例えばシステムプロセッサ２１０は、Ｉｎｔｅｌ（例えば、Ｐｅｎｔｉｕｍ（登録商標））又はＡＭＤによって製造されるような標準的なマイクロプロセッサとしてもよい。またシステムプロセッサ２１０はマルチコアプロセッサ又は他のタイプの演算回路としてもよい。無線プロセッサ２２０は（例えば802.11g、802.1X、セルラー等の）無線プロトコルをサポートする。
【００２８】
この二つのプロセッサの設計（分離したシステムプロセッサ及び無線プロセッサ）は、ソフトウェア開発の分離を容易にする。システムプロセッサ２１０に対してコンソールのソフトウェアを開発し、無線プロセッサ２２０に対して通信ソフトウェアを開発することができる。また、二つの分離したプロセッサの使用は、（ソフトウェアのモジュール性に加えて）コンポーネントのモジュール性を高める。そのように、二つのプロセッサ上のソフトウェアは分離して更新することができる。また、システムプロセッサ２１０から分離した無線プロセッサ２２０を有することにより、安心及び安全を目的とするホストファイル構造の完全な分離がもたらされる。分離した無線プロセッサ２２０は、システムプロセッサ２１０を保護するファイアウォールとして機能することができる。加えて、無線プロセッサ２２０（及びトランシーバ２３０）は、コンソール１１０（及びシステムプロセッサ２１０）と接続し、また切断することができる分離したユニットで実現してもよい。このように、無線プロセッサ２２０及びトランシーバ２３０を収容する分離したボックスは、コンソール１１０に備わってシステムプロセッサ２１０とインタフェースをとるコネクタにつなげることができる。
【００２９】
本発明の他の実施形態では、シングルプロセッサのアーキテクチャが用いられてもよい。この実施形態では、システムプロセッサ２１０が無線機能の全てを実行し、無線プロセッサ２２０は存在しない。本発明のさらに他の実施形態では、システムプロセッサ２１０及び無線プロセッサ２２０は、単独の回路基板上又は単独のＩＣパッケージ内に配置される。
【００３０】
図３は、本発明の原理に従った、無線を用いてコンソール間でユーザ毎の設定（user preferences）を保持する方法に係るブロック図である。この方法では、一つのコンソール１１０から他のコンソール１２０へのユーザ毎の設定の容易な転送を可能にするために、図１の無線アーキテクチャが利用される。眼の手術で用いられるような手術用コンソールは、外科医の特定のニーズを満たすためにカスタマイズすることができるコンピュータ制御の機械である。これらのユーザ毎の設定は外科医ごとに変化する。複数の外科医を有する眼の治療施設において、又は複数の機械を用いる外科医にとって、外科医の特定の設定をその外科医が使用している機械に適合させることが望ましい。コンソール間でユーザ毎の設定を無線で転送することにより、この効果がもたらされる。
【００３１】
ユーザ毎の設定は、コンソール（１１０及び１２０）間で直接に転送されてもよいし、一つのコンソールから他のコンソール（１１０及び１２０）へサーバ１４０を介して転送されてもよいし、又は一つのコンソールから他のコンソール（１１０及び１２０）へ一つ以上の（ラップトップ１３０のような）任意の中継装置を介して転送されてもよい。加えてユーザ毎の設定は、（サーバ１４０又はラップトップ１３０のような）中継装置に、又はインターネット１７０と接続された装置に常駐していてもよい。
【００３２】
３１０において、第１のコンソールが第２のコンソールと無線で接続する。この無線接続は、直接でもよいし、又は一つ以上の中継装置を通してもよい。３２０において、ユーザ毎の設定が、メモリから読み込まれ、送信するために無線プロセッサへ転送される。３３０において、ユーザ毎の設定が第１のコンソールのトランシーバによって送信される。３４０において、送信信号が第２のコンソールのトランシーバによって受信される。３５０において、ユーザ毎の設定が、第２のコンソールのシステムコンソールにより使用が可能な、第２のコンソールのメモリへ転送される。
【００３３】
図４は、本発明の原理に従った、コンソールにソフトウェアの更新情報を無線で提供する方法に係るブロック図である。この方法では、手術用コンソールのソフトウェアの更新を可能にするために図１の無線アーキテクチャが利用される。従来の方法では、ソフトウェアの更新を実行するために、保守技術員がじきじきに手術用コンソールまで行く。技術員はコンソールにソフトウェアの更新情報をもつコンパクトディスクを挿入し、更新情報がコンソールにコピーされる。そのような手順では時間が費やされ、費用がかかる。無線でソフトウェアの更新情報を送信することは、はるかに効率的である。
【００３４】
ソフトウェアの更新情報は、無線接続を介して保守技術員のラップトップから一つ以上のコンソールへ直接に送信される。このようにして、保守技術員は、病院又は手術室まで行き、その場所の全てのコンソール又はその場所のサーバへソフトウェアの更新情報を無線でブロードキャスト送信することができる。またソフトウェアの更新情報はサーバを介してコンソールに送られてもよい。そのようなソフトウェアの更新はいつでもスケジュールすることができる。さらにソフトウェアの更新情報は、コンソールの製造者から発し、インターネットを介して病院又は手術室のサーバへ送信され、その後サーバからコンソールへ送られてもよい。これらのソフトウェアの更新は、システムプロセッサ、サブプロセッサ又は無線プロセッサで実行しているソフトウェアを対象とすることができる。
【００３５】
４１０において、ソフトウェアの更新情報がサーバによって受信される。このソフトウェアの更新情報は、コンソールの製造者又は保守者からインターネットを介してサーバに送られてもよいし、又は技術員のコンピュータからサーバに送られてもよい。４２０において、ソフトウェアの更新情報が手術用コンソールの無線プロセッサに無線で送信される。４３０において、ソフトウェアの更新情報がコンソールのシステムプロセッサに転送される。４４０において、システムプロセッサで実行しているソフトウェアがソフトウェアの更新情報に従って更新される。
【００３６】
図５は、本発明の原理に従った、保守データを無線で収集する方法に係るブロック図である。コンソールの使用中、データは頻繁に収集される。例えば、様々な手術用のパラメータ及びコンソールの操作についてのデータが集められ、コンソール内のメモリに格納される。これは、コンソールがどのように動作しているかについてのデータをもたらす。従ってこのデータは、コンソールの異常又は問題を診断するためにも用いることができる。加えてコンソールの操作についてのデータは、その操作の微調整又はその動作の改良のために用いられてもよい。そのようなデータは、技術員がコンソールを保守するのに役立つ。
【００３７】
この操作データはコンソールから保守技術員のラップトップへ直接に無線で転送される。あるいはこのデータはコンソールからサーバへ無線で転送されてもよい。データはサーバからラップトップ又は他の装置へ転送されてもよいし、又はデータはサーバからインターネット又は他のネットワークを介して保守技術員又はコンソールの製造者へ送られてもよい。
【００３８】
５１０において、コンソールがメモリに操作データを格納する。５２０において、操作データが、送信するために無線プロセッサへ送られる。５３０において、操作データが、ラップトップ、装置又はサーバへ送信される。５４０において、操作データがサーバからインターネットを介してコンソールの製造者へ転送される。
【００３９】
上記から、本発明が眼科手術用の機械を無線によりネットワークで結ぶシステム及び方法を提供することが理解されよう。本発明は、手術用の機械の間の無線通信及び手術用の機械を使った無線通信を容易にするプロセッサアーキテクチャを提供する。また、機械の間で情報を共有する方法、システムの更新情報を提供する方法、及びデータにアクセスする方法が開示される。本発明は実施例によりここに示され、また様々な変更を当業者は行ってもよい。
【００４０】
ここに開示された本発明の実施及び明細書の考察から、本発明の他の実施形態も当業者にとって明らかとなろう。明細書及び実施例は、単なる例示とみなされるものであり、本発明の真の範囲及び精神は、記載のクレームによって示されることが意図されている。
【図１】
2011522609.tif 000003
【図２】
2011522609.tif 000004
【図３】
2011522609.tif 000005
【図４】
2011522609.tif 000006
【図５】
2011522609.tif 000007
【国際調査報告】
2011522609.tif 000008
2011522609.tif 000009
2011522609.tif 000010
2011522609.tif 000011
2011522609.tif 000012